【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
複数のブローヘッドが装着されるブローヘッドアームと共に使用するためのブローヘッド取り付け構成であって、該ブローヘッド取り付け構成は、
前記ブローヘッドの上部に位置した第１の係合部材を有するブローヘッドであって、前記第１の係合部材がブローヘッドネックによって前記ブローヘッドに接続されたブローヘッド取り付け要素を備える、ブローヘッドと、
前記ブローヘッドアームの下に位置した第２の係合部材であって、前記第２の係合部材が一対の両側の係合フランジを備える中空の内部部分を有する固定リング部材を備え、前記一対の両側の係合フランジは前記固定リング部材の底部に位置して前記一対の両側の係合フランジの間に開口部を画定する、第２の係合部材と、
を備え、
前記第１の係合部材および前記第２の係合部材が、前記ブローヘッドが前記第２の係合部材に対して第１の回転位置にあるときに、前記ブローヘッドの前記第１の係合部材が上昇および収容される、または前記第２の係合部材から降下および取り出されることを可能にするようにそれぞれ配置および構成され、
前記ブローヘッドの前記第１の係合部材が前記第２の係合部材に収容されているまま、前記ブローヘッドが前記第２の係合部材に対して前記第１の回転位置から前記第２の係合部材に対して第２の回転位置へ回転させられるときに、前記第１の係合部材および前記第２の係合部材が、前記ブローヘッドの前記第１の係合部材が前記第２の係合部材に固定されることを可能にするようにそれぞれ構成および配置され、
該ブローヘッド取り付け構成は、さらに、前記第２の係合部材に対して前記第２の回転位置に前記ブローヘッドを回転可能に保持する、ばね荷重された保持機構を備え、前記保持機構は、
前記ブローヘッド取り付け要素内に位置する第１の保持機構と、
前記固定リング部材内に位置する第２の保持機構と
を備える、ブローヘッド取り付け構成。
【請求項２】
前記ブローヘッドの前記第２の回転位置が、前記ブローヘッドの前記第１の回転位置から９０度である、請求項１に記載のブローヘッド取り付け構成。
【請求項３】
前記保持機構が、
前記ブローヘッドが前記第２の回転位置にあるときに、前記固定リング部材に対しての前記ブローヘッド取り付け要素の回転を止めるまたは回転に抵抗する戻り止め機構を備える、
請求項１に記載のブローヘッド取り付け構成。
【請求項４】
前記第１の保持部材および前記第２の保持部材の一方が、
少なくとも１つの戻り止め凹所を備え、
前記第１の保持部材および前記第２の保持部材の他方が、
前記戻り止め凹所に選択的に係合する少なくとも１つの戻り止め係合部材を備える、
請求項１に記載のブローヘッド取り付け構成。
【請求項５】
前記少なくとも１つの戻り止め凹所が、前記ブローヘッド取り付け要素に位置し、前記少なくとも１つの戻り止め係合部材が、前記固定リング部材に位置する、請求項４に記載のブローヘッド取り付け構成。
【請求項６】
前記少なくとも１つの戻り止め凹所が前記固定リング部材に位置し、前記少なくとも１つの戻り止め係合部材が前記ブローヘッド取り付け要素に位置する、請求項４に記載のブローヘッド取り付け構成。
【請求項７】
前記ブローヘッド取り付け要素に位置する前記第１の保持機構が、
前記ブローヘッド取り付け要素の両側から延びる一対の固定用フランジを備え、
前記固定リング部材に位置する前記第２の保持機構が、
前記固定リング部材中の前記対向した係合フランジにそれぞれ位置する一対の戻り止め凹所を備え、前記ブローヘッドが、前記第２の係合部材に対して前記第２の回転位置にあるときに、前記戻り止め凹所が、前記固定用フランジに係合するように構成される、
請求項１に記載のブローヘッド取り付け構成。
【請求項８】
前記固定リング部材が、上側固定リング部材および下側固定リング部材を備え、前記上側固定リング部材と前記下側固定リング部材の間に前記中空内部部分を画定し、前記対向した係合フランジが、前記下側固定リング部材の底に位置し、前記保持機構が、
前記上側固定リング部材を前記下側固定リング部材内で前記対向した係合フランジに向かって付勢するばね部材
をさらに備える、請求項７に記載のブローヘッド取り付け構成。
【請求項９】
前記ブローヘッド取り付け要素の前記固定用フランジの両側が、その底側で角度が付けられていて、前記ブローヘッド取り付け要素が、前記第２の係合部材に対して前記第１の回転位置から前記第２の係合部材に対して前記第２の回転位置に向かって初めに回転させられるときに前記固定用フランジが、前記固定リング部材中の前記対向した係合フランジによって係合されることを容易にする、請求項７に記載のブローヘッド取り付け構成。
【請求項１０】
複数のブローヘッドが装着されるブローヘッドアームと共に使用するためのブローヘッド取り付け構成において、前記ブローヘッド取り付け構成は、
ブローヘッドネックによりブローヘッドに取り付けられるブローヘッド取り付け要素と、
前記ブローヘッドアームの下側に位置する第２の係合部材であって、該第２の係合部材は、固定リング部材の底に位置する一対の対向する係合フランジを有する中空の内側部分を有し、一対の対向する係合フランジの間に開口部を画定する前記固定リング部材と
を備え、
前記第１の係合部材および前記第２の係合部材が、前記ブローヘッドが前記第２の係合部材に対して第１の回転位置にあるときに、前記ブローヘッドの前記第１の係合部材が上昇および収容される、または前記第２の係合部材から降下および取り出されることを可能にするようにそれぞれ配置および構成され、
前記ブローヘッドの前記第１の係合部材が前記第２の係合部材に収容されているまま、前記ブローヘッドが前記第２の係合部材に対して前記第１の回転位置から前記第２の係合部材に対して第２の回転位置へ回転させられるときに、前記第１の係合部材および前記第２の係合部材が、前記ブローヘッドの前記第１の係合部材が前記第２の係合部材に固定されることを可能にするようにそれぞれ構成および配置され、
該ブローヘッド取り付け構成は、さらに、前記第２の係合部材に対して前記第２の回転位置に前記ブローヘッドを回転可能に保持する保持機構を備え、前記保持機構は、
前記ブローヘッド取り付け要素内に位置する第１の保持機構と、
前記固定リング部材内に位置する第２の保持機構と
を備え
前記ブローヘッド取り付け要素が、前記ブローヘッド取り付け要素の両側から延びる一対の固定用フランジを備え、前記ブローヘッド取り付け要素に位置する前記第１の保持機構が、
遠位端で前記固定用フランジの上側にそれぞれ位置する一対の戻り止め凹所を備え、
前記固定リング部材に位置する前記第２の保持機構が、
前記固定リング部材に位置する戻り止め凹所に後退可能に存在する一対のディティントボールを備え、前記ブローヘッドが、前記第２の係合部材に対して前記第２の回転位置にあるときに、前記ディティントボールおよび前記凹所が、前記戻り止め凹所に係合するように配置および構成される、ブローヘッド取り付け構成。
【請求項１１】
前記保持機構が、
前記ディティントボールを下側固定リング部材内で前記対向した係合フランジに向かって付勢するばね部材
をさらに備える、請求項１０に記載のブローヘッド取り付け構成。
【請求項１２】
前記ブローヘッド取り付け要素の前記固定用フランジの両側が、その前記上側で角度が付けられていて、前記ブローヘッド取り付け要素が、前記第２の係合部材に対して前記第１の回転位置から前記第２の係合部材に対して前記第２の回転位置に向かって回転させられるときに、前記ブローヘッド取り付け要素の前記固定用フランジが、前記ディティントボールに係合し、前記ディティントボールを後退させるのを容易にする、請求項１０に記載のブローヘッド取り付け構成。
【請求項１３】
前記ブローヘッドが前記第２の係合部材に対して前記第２の回転位置を越えて回転するのを妨げる制限部材
をさらに備える、請求項１に記載のブローヘッド取り付け構成。
【請求項１４】
複数のブローヘッドが装着されるブローヘッドアームと共に使用するためのブローヘッド取り付け構成であって、
ブローヘッドであって、前記ブローヘッドの上部で前記ブローヘッドに接続されたブローヘッド取り付け要素を有し、前記ブローヘッド取り付け要素が、その両側から延びる一対の固定用フランジを有する、ブローヘッドと、
前記ブローヘッドアームの底に位置する固定リング部材であって、中空内部部分、および間に開口部を画定する前記固定リング部材の底に位置する一対の両側の係合フランジを有する固定リング部材と
を備え、
前記固定用フランジを有する前記ブローヘッド取り付け要素および前記固定リング部材の前記係合フランジの間の開口部が、前記ブローヘッドが前記固定リング部材に対して第１の回転位置にあるときに、前記ブローヘッド取り付け要素が前記固定リング部材へ上昇し且つ収容される、または前記固定リング部材から降下し且つ取り出されることを可能にするようにそれぞれ配置および構成され、
前記ブローヘッド取り付け要素の前記固定用フランジが前記固定リング部材の前記中空内部部分に収容されているまま、前記ブローヘッドが、前記第２の係合部材に対して前記第１の回転位置から固定リング部材に対して第２の回転位置へ回転させられているときに、前記ブローヘッド取り付け要素が前記固定リング部材に固定されることを可能にするようにそれぞれ構成および配置され、
前記固定リング部材に対して前記第２の回転位置で前記ブローヘッドの回転をかまたは回転に抵抗するばね荷重された戻り止め機構をさらに備える、ブローヘッド取り付け構成。
【請求項１５】
ブローヘッドをブローヘッドアームへ取り外し可能に取り付けるブローヘッド取り付け構成であって、
ブローヘッドの上部に位置した第１の係合部材と、
前記ブローヘッドアームの下に位置した第２の係合部材と
を備え、
前記第１の係合部材および前記第２の係合部材が、前記ブローヘッドが前記第２の係合部材に対して第１の回転位置にあるときに、前記第１の係合部材が前記第２の係合部材に収容される、または前記第２の係合部材から取り出されることを可能にするようにそれぞれ構成および配置され、
第１の係合部材および第２の係合部材に含まれないいかなる追加の固定部材または機構の要求なく前記第１の係合部材が前記第２の係合部材に収容されているまま、前記ブローヘッドが前記第２の係合部材に対して前記第１の回転位置から前記第２の係合部材に対して第２の回転位置へ回転させられるときに、前記第１の係合部材および前記第２の係合部材が、前記第１の係合部材を前記第２の係合部材に保持するようにそれぞれ構成および配置されるブローヘッド取り付け構成。
【請求項１６】
ブローヘッドをブローヘッドアームへ取り付ける方法であって、
前記ブローヘッドの上部に位置した第１の係合部材を用意するステップと、
前記ブローヘッドアームの下に位置した第２の係合部材を用意するステップと、
前記第２の係合部材に対して前記ブローヘッドが第１の回転位置にある状態で、前記ブローヘッドの前記第１の係合部材を前記第２の係合部材に挿入するステップと、
前記第２の係合部材に対して前記第１の回転位置から前記第２の係合部材に対して第２の回転位置へ前記ブローヘッドを回転させる一方、前記ブローヘッドの前記第１の係合部材が、前記第２の係合部材に収容されるステップと、
ばね荷重された保持機構を用いて前記第２の係合部材に対して前記第２の回転位置で前記ブローヘッドを取り外し可能に保持するステップと、
前記保持機構を選択的に係合解除し、前記第２の係合部材に対して前記第２の回転位置から前記第２の係合部材に対して前記第１の回転位置へ前記ブローヘッドを回転させるステップと、
前記ブローヘッドが前記第２の係合部材に対して前記第１の回転位置にある状態で、前記ブローヘッドの前記第１の係合部材を前記第２の係合部材から取り出して、前記ブローヘッドを前記第２の係合部材から係合解除するステップと
を含む方法。
【請求項１７】
前記第１の係合部材が、ブローヘッドネックによって前記ブローヘッドに接続されたブローヘッド取り付け要素を含み、前記第２の係合部材が、中空内部部分を有する固定リング部材を含み、一対の両側の係合フランジが前記固定リング部材の底に位置すると共にそれらの間に開口部を画定し、前記取り外し可能に保持するステップが、
前記ブローヘッドが前記第２の回転位置にあるときに、戻り止め機構を用いて前記固定リング部材に対しての前記ブローヘッド取り付け要素の回転を止めるまたは回転に抵抗するステップを含む、
請求項１６に記載の方法。
【請求項１８】
前記取り外し可能に保持するステップが、
前記第１の係合部材に位置する第１の保持機構を用意するステップと、
前記第２の係合部材に位置する第２の保持機構を用意するステップと
を含み、
前記第１の保持機構および前記第２の保持機構の一方が、少なくとも１つの戻り止め凹所を備え、
前記第１の保持機構および前記第２の保持機構の他方が、前記戻り止め凹所に選択的に係合する少なくとも１つの戻り止め係合部材を備える、
請求項１６に記載の方法。